(57)【要約】【課題】  高性能のズームファインダを搭載しても低廉でかつ小型のカメラを提供すること。【解決手段】  斜行板１０５Ａを鏡胴の伸縮に連動して斜め方向に移動させる。この斜めに移動することを利用してその斜行板１０５Ａに傾斜角の緩やかなカム溝１０５１Ａ，１０５２Ａを設けて視野角調節用のレンズ１０２１Ａ，１０２２Ａを光軸方向に移動させる。視野角を細かく調節することが自在な高性能かつ小型のズームファインダが構成され、その小型のズームファインダをカメラに搭載することでカメラの小型化を図る。【選択図】  図６
2005274977.tif 000002
【特許請求の範囲】
【請求項１】
焦点距離可変な撮影光学系を内蔵し光軸方向に伸縮して該撮影光学系の焦点距離を調節する鏡胴を備え、該撮影光学系で被写体を捉えて撮影を行うカメラにおいて、
前記鏡胴の光軸方向への伸縮に連動して視野角が調整されるズームファインダを備え、
前記ズームファインダが、
前記鏡胴の伸縮に連動して光軸に対し斜めに移動する斜行部材と、
前記斜行部材から駆動力を受けて光軸方向に移動しファインダの視野を調節する視野調節部材とを備えたことを特徴とするカメラ。
【請求項２】
前記斜行部材が、前記鏡胴の伸縮の動作から駆動力を受けて光軸に対し斜めに移動するものであることを特徴とする請求項１記載のカメラ。
【請求項３】
前記斜行部材は、該斜行部材の移動方向に延びる傾斜端面を有することを特徴とする請求項１記載のカメラ。
【発明の詳細な説明】
【技術分野】
【０００１】
本発明は、焦点距離可変な撮影光学系を内蔵し光軸方向に伸縮してその撮影光学系の焦点距離を調節する鏡胴を備え、その撮影光学系で被写体を捉えて撮影を行うカメラに関する。
【背景技術】
【０００２】
カメラの中には光学ズーム機能を備えたものがあり、その多くは鏡胴内にズームレンズを内蔵してレンズ鏡胴を伸縮させることによりズーム機能を働かせている。このようなカメラにおいては、鏡胴の伸縮の動作にあわせてファインダ光学系の視野角を変更するズームファインダが装備されているものが多い。
【０００３】
このズームファインダの視野角を精度良く調節するためには、鏡胴の伸縮にあわせて視野サイズを精度良く調節する機構が必要になる。
【０００４】
この鏡胴の伸縮にあわせて視野角を精度良く調節する機構としては、鏡胴側にピンを設けて鏡胴の伸縮に連動してカム機構を働かせて視野角を調節するもの（例えば特許文献１参照）や鏡胴側に配備されているギア列の一部に視野角調整用のギアを連結させてそのギアによりカム機構を働かせて視野角を調節するものがある（例えば特許文献２参照）。いずれにしてもこのような視野角を調節する機構においては、カム機構が駆使されて精度良く視野角が調節される。
【０００５】
このようなカム機構として代表的なものにカム溝を有するカム筒とカム溝を有するカム板があるが、カム筒を用いるとどうしてもカム筒の直径分カメラが大型化するという問題があるため、現状ではカム板がよく用いられている。
【０００６】
図１はカム板１０５を有するズームファインダ１００の構成を示す図である。
【０００７】
この図１では、鏡胴が伸びた状態にあるときにＴＥＬＥ（望遠）になって２枚の移動レンズそれぞれが対物レンズ側の位置ｊ、ｋ（図中点線でレンズを示す位置）に保持され、鏡胴が縮んだ状態にあるときにＷＩＤＥ（広角）になって２枚の移動レンズ１０２１，１０２２それぞれが接眼レンズ１０４側の位置ｍ、ｎ（図中実線で示す位置）に保持される例が示されている。この図１に示す構成ではファインダ光学系内の２枚の移動レンズ１０２１，１０２２をレンズ保持枠１０２１Ｌ，１０２２Ｌともども図１に示す位置ｍ、ｎから図１に示す位置ｊ，ｋまで移動させるためにカム溝１０５１，１０５２に所定の傾斜角を持たせておき、そのカム溝を有するカム板１０５を図中矢印で示す方向（以降、横方向という）に移動させている。つまり、カム板１０５を鏡胴の伸縮に応じて横方向に移動させることにより各移動レンズ１０２１，１０２２を光軸方向に移動させ、ズームスイッチの操作に応じた適切な位置に各移動レンズを配置している。このようにしてズームスイッチの操作に応じて適切な位置に各移動レンズが配置され、対物レンズ１０１から入射した被写体光が各移動レンズ１０２１，１０２２を通り、さらに対物プリズム１０３ａ、焦点板１０３ｂ、接眼ダハプリズム１０３ｃを通してファインダ接眼部にまで達する。
【０００８】
図１からも分かるようにこのカム板１０５が横方向に移動する範囲（図中点線でカム板を示した部分までの範囲）を包含する部分には部材の実装が不可能なため、ファインダ光学系の最後尾に対物プリズム１０３ａ、焦点板１０３ｂ、接眼ダハプリズム１０３ｃを配設してファインダ光学系に高い光学性能を持たている。この光学部品３点は比較的高価である。
【０００９】
ここで、カム板１０５の横方向の動きにあわせて２枚の移動レンズ１０２１，１０２２を光軸方向に移動させるために設けられたカム溝１０５１，１０５２の傾斜角の作用を説明しておく。
【００１０】
図１に示すようにカム板１０５の表面には傾斜角を持ったカム溝１０５１，１０５２が２枚の移動レンズそれぞれに対応して設けられている。これらの傾斜角を持ったカム溝１０５１，１０５２は、カム板１０５の横方向の動きのうち、いずれかの横方向の動きを縦方向つまり光軸方向に変換する変換作用を有している。
【００１１】
これらのカム溝１０５１，１０５２の傾斜角が緩やかであればあるほど２枚の移動レンズ１０２１，１０２２の位置が細かく調節されてズームスイッチの操作位置に応じてズームファインダの視野角が細かく調節される。この傾斜角を急にすると、カム板１０５の横方向の長さが短くなり、さらにカム板１０５の移動する範囲を狭めることができるが、視野角の調節精度は劣化する。また、力の方向を変換するため、傾斜角をあまり急にしすぎると動かなくなってしまうこともあり、使用できる傾斜角度には限界がある。
【００１２】
このようにズームファインダを高性能にしようとすればするほど、視野角の調節精度を保つために傾斜角を緩やかにしなければならず、カム板が大きくなってさらにそのカム板の移動距離が大きくなってしまうという問題がある。
【００１３】
このようにカム板が大きくなりカム板の移動距離が大きくなると、カメラ内部に大きな配設スペースが必要になってしまうためカメラが大型化してしまう。またズームファインダを構成するプリズムなどの配設スペースがなくなり、どうしても比較的高価なプリズムを使用しなければならないという制約も出てくる。
【特許文献１】特許第２５７２６７８号公報
【特許文献２】特開２００３−２２２７７７号公報
【発明の開示】
【発明が解決しようとする課題】
【００１４】
本発明は、上記事情に鑑み、高性能のズームファインダを搭載しても低廉でかつ小型のカメラを提供することを目的とする。
【課題を解決するための手段】
【００１５】
上記目的を達成する本発明のカメラは、焦点距離可変な撮影光学系を内蔵し光軸方向に伸縮して該撮影光学系の焦点距離を調節する鏡胴を備え、その撮影光学系で被写体を捉えて撮影を行うカメラにおいて、
上記鏡胴の光軸方向への伸縮に連動して視野角が調整されるズームファインダを備え、
上記ズームファインダが、
上記鏡胴の伸縮に連動して光軸に対し斜めに移動する斜行部材と、
上記斜行部材から駆動力を受けて光軸方向に移動しファインダの視野を調節する視野調節部材とを備えたことを特徴とする。
【００１６】
上記本発明のカメラによれば、上記斜行部材を斜めに移動させ、その斜めに移動させた斜行部材から駆動力を受けて上記視野調節部材が光軸方向に移動する。
【００１７】
いままではカム板を横方向に移動させることで上記視野調節部材を光軸方向に移動させていたが、いままでのカム板に代えてとして上記斜行部材をそのカム板として作用させ、その斜行部材を斜めに移動させることで、横方向の移動距離の低減が図られる。さらに上記斜行部材が斜めに移動することを利用すると、いままでのカム板に傾斜角を緩やかにしたカム溝を設けるのと同等のカム溝を上記斜行部材に設けることが容易となり、そのカム溝に沿って視野調節部材を光軸に移動させることで、斜行部材を大型化させることなく高精度に視野角が調節される。このようにすると今までに比べて斜めに移動させる分、力の方向を変換する程度が少なくて済み、軽い駆動力で動かすこともできる。
【００１８】
また、移動距離が低減されたことによりいままでに比べて左右の配設スペースが削減され、さらに斜行部材が斜めに移動する方向と交叉する軸方向に空きスペースが確保される。そうするとズームファインダを構成する光学部品の配設スペースに自由度が生じて、空きスペースに比較的低廉なポロプリズムを実装することが可能となり、上記斜行部材が小型化されることと上記移動距離が低減されることとあわせて小型化並びに低廉化が図られる。
【００１９】
上記本発明のカメラは、鏡胴の伸縮に連動して視野角が調節されるものすなわち鏡胴の動きをピンなどを介して上記視野調節部材に伝えてその視野調節部材を上記鏡胴の伸縮に連動させて移動させるものであったが、本発明は、これに限定されず、ズームファインダを駆動する機構が例えばギア列を用いたものであっても適用される。
【００２０】
つまり、上記斜行部材が、上記鏡胴の伸縮の動作から駆動力を受けて光軸に対し斜めに移動するものであっても良い。
【００２１】
さらに、いずれの駆動機構であっても、上記斜行部材は、その斜行部材の移動方向に延びる傾斜端面を有することが好ましい。
【００２２】
上記斜光部材の移動方向に延びる傾斜端面を上記斜行部材に設けると、その傾斜端面部にさらに広がった空きスペースが確保され、その空きスペースにプリズムなどが要領よく実装されてズームファインダが小型化され、そのズームファインダが搭載されるカメラも小型化される。
【発明の効果】
【００２３】
以上、説明したように、高性能のズームファインダを搭載しても低廉かつ小型のカメラが実現される。
【発明を実施するための最良の形態】
【００２４】
以下図面を参照して本発明の実施の形態を説明する。
【００２５】
図２は、本発明の一実施形態であるカメラの外観を示す斜視図である。
【００２６】
図２に示すようにカメラボディ１ａの中央部にレンズ鏡胴１１が備えられており、そのレンズ鏡胴１１の上方に測光窓１２やＡＦ窓１３やズームファインダ１００Ａの対物窓１０１０Ａなどが配備されている。この対物窓１０１０Ａに対物レンズが嵌め込まれている。また、そのズームファインダ１００Ａの対物窓１０１Ａの横には閃光発光窓１４が設けられ、カメラボディ１ａの上面にはレリーズ釦１５が配備されている。さらに背面側にはズームファインダ１００Ａのファインダ接眼部１０１Ａが配備されている。
【００２７】
図３は図２のカメラの背面を示す図である。
【００２８】
図３に示すようにカメラボディ１ａの背面側には表示パネル１６が設けられており、その表示パネル１６の上方にズームファインダのファインダ接眼部１０１Ａが設けられている。そのファインダ接眼部１０１Ａの接眼窓１０４０Ａに接眼レンズ１０４Ａが嵌め込まれており、そのファインダ接眼部１０１Ａにマクロ釦１０１Ｂとマクロ表示部１０１Ｃとが設けられている。またファインダ接眼部１０１Ａの側方にはズームスイッチ１７が設けられ、表示パネル１６の右下部には電源投入用の電源スイッチ１８が設けられている。
【００２９】
このような外観を持つカメラで撮影が行われる。
【００３０】
図４は外装カバー１ａおよびズームファインダ１００Ａを外してカメラ内部を見た図である。
【００３１】
図４の中央にあるのが鏡胴を内包する固定枠１１１であり、鏡胴を伸縮させる直進筒１１２がその固定枠１１１の内側に進退自在に配設されている。また、その固定枠１１１の上方にはその直進筒１１２の進退動作に連動して動く連動ピン１１３が配設されていて、この連動ピン１１３が光軸方向に前後することによってズームファインダ１００Ａの視野角が調整される。
【００３２】
この実施形態のカメラでは、ズームスイッチ１７の操作に応じて図４の下方に示す鏡胴駆動用のモータ１２０を回転させ、その回転させたモータからの駆動力をギア列１２１により直進筒に伝えて直進筒１１２を前後させ鏡胴を伸縮させている。図４には、ズームスイッチ１７がＷＩＤＥ側いっぱいに操作され、直進筒１１２が前方側に進出したときの連動ピン１１３の位置Ｙが実線で示され、ズームスイッチ１７がＴＥＬＥ側いっぱいに操作され、直進筒１１２がさらに前方側に進出したときの連動ピン１１３の位置Ｚと電源スイッチが断たれて直進筒１１２が前方側から後退したときの連動ピン１１３の位置Ｘとがそれぞれ点線で示されている。
【００３３】
つまり、電源スイッチ１８が投入されて直進筒１１２がカメラボディから前方側に進出した後ズームスイッチ１７がＴＥＬＥ側いっぱいに操作されたときには、連動ピン１１３が図４に示す符号Ｘで示す位置から符号Ｙの位置に移動し、さらに符号Ｚで示す位置に移動して、その符号Ｚで示す位置にあるときにズームスイッチ１７がＷＩＤＥ側に操作されたときには連動ピン１１３が図４に示す符号Ｙ方向に移動してさらにズームスイッチ１７がＷＩＤＥ側いっぱいに操作されたときには連動ピン１１３が符号Ｙで示す位置まで移動する。また電源が断たれたときには、連動ピン１１３が符号Ｘで示す位置に移動して直進筒１１２がカメラ内部まで後退して鏡胴が沈胴する。この連動ピン１１３と本発明にいう斜行部材である斜行板１０５Ａとが係合している。
【００３４】
図５はその斜行板１０５Ａを抜き出して示した図である。図５には鏡胴側から斜行板１０５Ａを見た図が示されており、連動ピン１１３と係合するカム溝１０５０Ａが見えるように図示されている。この図５を横にして見たときの斜め右上方向が被写体光の入射してくる方向であり、その入射してきた被写体光に基づく被写体像が左斜め下方にあるズームファインダの接眼レンズ１１４Ａを通して視認される。この図５からもわかるように連動ピン１１３が移動すると、この斜行板１０５はファインダ光学系の光の入射経路つまり光軸に対して斜め（矢印方向）に移動する。
【００３５】
図５に示す斜行板１０５は、図２に示すズームスイッチ１７がＴＥＬＥ側に操作されたときには鏡胴１１が前方に伸び出すことに連動して連動ピン１１３が図４で説明したＺ位置まで移動し、斜行板１０５Ａが図中の矢印方向に沿って左斜め上方に移動する。また、図２に示すズームスイッチ１７がＷＩＤＥ側に操作されたときには伸びていた鏡胴が縮むことに連動して連動ピン１１３が図４で説明したＹ位置に移動し、斜行板１０５Ａが図中の矢印方向に沿って右下斜め下方に移動する。
【００３６】
この図５に示す斜行板１０５Ａの斜め方向の動きに連動して動く視野調節部材を説明する。
【００３７】
図６は、斜行板１０５Ａと視野調節部材である２枚の移動レンズ１０５１Ａ，１０５２Ａとの係わりを示す図である。
【００３８】
図１のカム板１０５に代えて斜行板１０５Ａが配設されていることとプリズム１０３Ａの構成が変更されていることとミラー１０３０Ａが追加されていること以外は図１と同様の構成である。この図６を横にして見たときの斜め右下方向が被写体光の入射してくる方向であり、その入射してきた被写体光に基づく被写体像が左斜め上方にあるズームファインダの接眼レンズ１０４Ａを通して視認される。
【００３９】
なお、図６には斜行板１０５Ａの移動を段階的に示し、３通りの位置に配置された斜行板１０５Ａが点線で重ねて示されている。
【００４０】
このズームファインダ１００Ａを構成するファインダ光学系は、対物レンズ１０１Ａと、視野調節部材である２つのレンズ１０２１Ａ，１０２２Ａとポロプリズム１０３Ａとミラー１０３０Ａとで構成されていて、対物レンズ１０１Ａに入射してきた被写体光を、対物レンズ１０１Ａとプリズムの光軸にあわせて精度良く配設されている２枚の移動レンズ１０２１Ａ，１０２２Ａを通過させ、さらにプリズム１０３Ａでその被写体光の進行方向を折り曲げてプリズム１０３Ａの出口にある焦点面Ｆに被写体像を結像させている。その焦点面Ｆに結像された被写体像がファインダ接眼部１０１Ａの接眼窓１０１０Ａから覗いた撮影者にミラー１０３０Ａを介して視認される。
【００４１】
本実施形態のズームファインダの構成によれば、視野角調節用の２枚の移動レンズ１０２１Ａ，１０２２Ａ、および対物レンズ１０１Ａさらにプリズム１０３Ａが２本のガイド軸１０２Ａ，１０２０Ａにより一体的に保持されているため、視野角調節用の各移動レンズ１０２１Ａ，１０２２Ａをそれらのガイド軸１０２Ａ，１０２０Ａに沿って移動させてもファインダ光学系の光軸が常に一定に保たれる。
【００４２】
このような光軸が高精度に得られたズームファインダ光学系の下方に鏡胴の動きに連動して斜めに移動する斜行板１０５Ａが配設されている。図５で説明したようにこの斜行板１０５Ａの下面には鏡胴の連動ピン１１３が係合するカム溝１０５０Ａが形成されており、上面にはその斜行板１０５Ａの斜めの動きにそって視野角調節用の移動レンズ１０２１Ａ，１０２２Ａそれぞれを移動させるカム溝１０５１Ａ，１０５２Ａが２枚の各移動レンズに対応して２本設けられている。これらのカム溝１０５１Ａ，１０５２Ａは図６からもわかるように、図１のものと比べると傾斜角の緩やかなものと傾斜角のないほぼ直線的なものになっている。このように斜行板１０５Ａを斜めに移動させることで緩やかな傾斜角のカム溝を容易に設けることができ、さらに斜めに移動させる分、カム板１０５Ａの横方向の移動距離の低減を図ることができる。さらに斜行板１０５Ａ自体の大きさもいままでのカム板に比べれば小型化することが可能となる。
【００４３】
なお、この斜行板１０５Ａはガイドボス１０５６Ａにより案内されて安定して斜めに移動するものであり、そのガイドボス１０５６Ａはカメラ本体が備えるガイド溝に嵌入されている。
【００４４】
したがって、斜行板１０５Ａを安定した状態で斜め方向に移動させることで、斜行板１０５Ａに設けられた緩やかなカム溝に係合するレンズ保持枠の位置が高精度に制御されて視野角が高精度に調節される。
【００４５】
また、本実施形態の例では、斜行板を出来うる限り小さくすることと空きスペースを確保するため、斜行板１０５Ａの移動方向に延びる傾斜端面１０５５がその斜行板に設けられている。このように斜行板１０５Ａに傾斜端面１０５５Ａを設けると、斜行板１０５Ａが斜めに移動する方向を移動軸としてその移動軸に対して直交する対角軸側に空きスペースが確保され、その空きスペースに、接眼レンズ１０４Ａとミラー１０３０Ａを配備することができる。このため、低廉なプリズムを用いてファインダ光学系を構成することが可能となる。
【００４６】
このように、斜行板１０５Ａが小さくなり、さらに斜行板の移動軸に対して直交する対角軸側に確保された空きスペースをうまく使ってファインダ光学系を構成することでカメラボディが小型化される。このときには、従来例に使用されていた高価なダハプリズム群を用いる必要がなくなり、低廉なポロプリズムを使用することができるためズームファインダの低廉化が達成される。また、斜行板１０５Ａが小さくなった分、鏡胴を駆動するモータの負荷が低減され、モータの小型化および低廉化をも図ることができる。
【００４７】
このようにこのカメラに搭載されるズームファインダの小型化、低廉化が達成され、さらに直進筒を駆動するモータの小型化、低廉化が達成されると、それらの構成要素が組み込まれるこのカメラの小型化および低廉化が達成される。
【図面の簡単な説明】
【００４８】
【図１】従来のカメラが有するズームファインダの構造を示す図である。
【図２】本発明の実施形態であるカメラの外観を正面斜め上方から見た斜視図である。
【図３】本発明の実施形態であるカメラの外観を背面斜め上方から見た斜視図である。
【図４】図２、図３のカメラのカメラボディとズームファインダ部を外してカメラ内部を見た図である。
【図５】斜行部材を抜き出して示した図である。
【図６】斜行板と視野調節部材との係わりを示す図である。
【符号の説明】
【００４９】
１    カメラ
１ａ    カメラボディ
１１    鏡胴
１２    測光窓
１３    ＡＦ窓
１４    閃光発光窓
１５    レリーズ釦
１６    表示パネル
１００  １００Ａ    ズームファインダ
１０１  １０１Ａ    対物レンズ
１０１０Ａ    対物窓
１０２  １０２Ａ  １０２０Ａ  ガイド軸
１０２１  １０２１Ａ  移動レンズ
１０２１Ｌ    レンズ保持枠
１０２２    １０２２Ａ  移動レンズ
１０２２Ｌ    レンズ保持枠
１０３  １０３Ａ  プリズム
１０３０Ａ    ミラー
１０４    １０４Ａ  接眼レンズ
１０４０Ａ    接眼窓
１０５      カム板
１０５１    １０５２    カム溝
１０５Ａ    斜行板
１０５１Ａ    １０５２Ａ    カム溝
１０５５Ａ    傾斜端面
１０５６Ａ    ガイドボス
Ｆ      焦点面
【図１】
2005274977.tif 000003
【図２】
2005274977.tif 000004
【図３】
2005274977.tif 000005
【図４】
2005274977.tif 000006
【図５】
2005274977.tif 000007
【図６】
2005274977.tif 000008